(57)【要約】【課題】元の地図画像に含まれる道路と、拡大された地図画像に含まれる道路とのつながりを、利用者に容易に把握させることができる、ナビゲーションシステムを提供すること。【解決手段】ナビゲーションシステム１は、地図画像を表示すると共に、地図画像の一部領域を拡大した拡大画像を、当該一部領域を含む拡大画像表示領域において当該地図画像上に重畳表示するディスプレイ１１と、地図画像に含まれる道路を一意に識別する道路識別情報を格納する地図情報ＤＢ１３ａと、道路識別情報に基づき、地図画像に含まれる道路と拡大画像に含まれる道路とのつながりを特定する連係特定部１２ａと、地図画像と拡大画像との境界に所定の調整領域を設け、連係特定部１２ａにより特定された地図画像に含まれる道路と拡大画像に含まれる道路とのつながりを示す連係情報を、調整領域に表示するための制御を行う表示制御部１２ｂとを備える。【選択図】図１
2012173384.tif 000002
【特許請求の範囲】
【請求項１】
地図画像を表示すると共に、当該地図画像の一部領域を拡大した拡大画像を、当該一部領域を含む拡大画像表示領域において当該地図画像上に重畳表示する表示手段と、
前記地図画像に含まれる道路を一意に識別する道路識別情報を格納する道路情報格納手段と、
前記道路識別情報に基づき、前記地図画像に含まれる道路と前記拡大画像に含まれる道路とのつながりを特定する連係特定手段と、
前記地図画像と前記拡大画像との境界に所定の調整領域を設け、前記連係特定手段により特定された当該地図画像に含まれる道路と当該拡大画像に含まれる道路とのつながりを示す連係情報を、当該調整領域に表示するための制御を行う表示制御手段と、
を備えるナビゲーションシステム。
【請求項２】
前記道路情報格納手段は、前記道路識別情報と、前記道路の位置を特定する道路位置情報とを、相互に関連付けて格納し、
前記表示制御手段は、前記道路識別情報と前記道路位置情報とに基づき、前記地図画像に含まれる道路と、当該地図画像に含まれる道路につながる道路であって前記拡大画像に含まれる道路とを接続する接続線を、前記連係情報として前記調整領域に表示するための制御を行う、
請求項１に記載のナビゲーションシステム。
【請求項３】
前記表示制御手段は、前記接続線と、当該接続線に接続される前記地図画像に含まれる道路又は前記拡大画像に含まれる道路とが成す角の内、優角が所定角度未満となるように、前記調整領域の大きさを設定する、
請求項２に記載のナビゲーションシステム。
【請求項４】
前記表示制御手段は、前記地図画像に含まれる道路と、当該地図画像に含まれる道路につながる道路であって前記拡大画像に含まれる道路との、共通の属性を表す情報を、前記連係情報として前記調整領域に表示するための制御を行う、
請求項１から３のいずれか一項に記載のナビゲーションシステム。
【請求項５】
前記道路情報格納手段は、前記道路識別情報と、前記道路の位置を特定する道路位置情報とを、相互に関連付けて格納し、
前記表示制御手段は、前記道路識別情報と前記道路位置情報とに基づき、前記地図画像と前記拡大画像との境界において、前記地図画像に含まれる道路と、当該地図画像に含まれる道路につながる道路であって前記拡大画像に含まれる道路とが接していない場合にのみ、当該境界に前記調整領域を設ける、
請求項１から４のいずれか一項に記載のナビゲーションシステム。
【請求項６】
地図画像を表示すると共に、当該地図画像の一部領域を拡大した拡大画像を、当該一部領域を含む拡大画像表示領域において当該地図画像上に重畳表示する表示ステップと、
前記地図画像に含まれる道路を一意に識別する道路識別情報を格納する道路情報格納ステップと、
前記道路識別情報に基づき、前記地図画像に含まれる道路と前記拡大画像に含まれる道路とのつながりを特定する連係特定ステップと、
前記地図画像と前記拡大画像との境界に所定の調整領域を設け、前記連係特定ステップで特定された当該地図画像に含まれる道路と当該拡大画像に含まれる道路とのつながりを示す連係情報を、当該調整領域に表示するための制御を行う表示制御ステップと、
を含むナビゲーション方法。
【請求項７】
請求項６に記載の方法をコンピュータに実行させるナビゲーションプログラム。
【発明の詳細な説明】
【技術分野】
【０００１】
本発明は、ナビゲーションシステム、ナビゲーション方法、及びナビゲーションプログラムに関する。
【背景技術】
【０００２】
従来、車両の走行経路を案内するナビゲーションシステムが用いられている。このナビゲーションシステムは、例えば、ディスプレイに地図画像を表示させ、地図画像上に目的地までの走行経路を重畳表示することで当該走行経路の案内等を行う。さらに、ディスプレイに表示されている地図画像の一部を拡大し、当該拡大した地図画像を元の地図画像の上に重ねて表示する、車両用情報表示装置も提案されている（例えば、特許文献１参照）。
【先行技術文献】
【特許文献】
【０００３】
【特許文献１】特開２００６−１０３３５８号公報
【発明の概要】
【発明が解決しようとする課題】
【０００４】
しかしながら、上述の如き従来の装置では、単に拡大された地図画像を元の地図画像の上に重ねて表示するに過ぎず、元の地図画像に含まれる道路と、拡大された地図画像に含まれる道路とのつながりについては何ら考慮がされていなかった。このため、元の地図画像に含まれる道路と、拡大された地図画像に含まれる道路とのつながりを、利用者が一見して容易に把握することができなかった。例えば、元の地図画像と拡大された地図画像との境界において、本来つながっているはずの道路の表示位置がずれてしまい、その道路がつながっていることを利用者が把握できない可能性があった。
【０００５】
本発明は、上記に鑑みてなされたものであって、元の地図画像に含まれる道路と、拡大された地図画像に含まれる道路とのつながりを、利用者に容易に把握させることができる、ナビゲーションシステム、ナビゲーション方法、及びナビゲーションプログラムを提供することを目的とする。
【課題を解決するための手段】
【０００６】
上述した課題を解決し、目的を達成するために、請求項１に記載のナビゲーションシステムは、地図画像を表示すると共に、当該地図画像の一部領域を拡大した拡大画像を、当該一部領域を含む拡大画像表示領域において当該地図画像上に重畳表示する表示手段と、前記地図画像に含まれる道路を一意に識別する道路識別情報を格納する道路情報格納手段と、前記道路識別情報に基づき、前記地図画像に含まれる道路と前記拡大画像に含まれる道路とのつながりを特定する連係特定手段と、前記地図画像と前記拡大画像との境界に所定の調整領域を設け、前記連係特定手段により特定された当該地図画像に含まれる道路と当該拡大画像に含まれる道路とのつながりを示す連係情報を、当該調整領域に表示するための制御を行う表示制御手段と、を備える。
【０００７】
また、請求項２に記載のナビゲーションシステムは、請求項１に記載のナビゲーションシステムにおいて、前記道路情報格納手段は、前記道路識別情報と、前記道路の位置を特定する道路位置情報とを、相互に関連付けて格納し、前記表示制御手段は、前記道路識別情報と前記道路位置情報とに基づき、前記地図画像に含まれる道路と、当該地図画像に含まれる道路につながる道路であって前記拡大画像に含まれる道路とを接続する接続線を、前記連係情報として前記調整領域に表示するための制御を行う。
【０００８】
また、請求項３に記載のナビゲーションシステムは、請求項２に記載のナビゲーションシステムにおいて、前記表示制御手段は、前記接続線と、当該接続線に接続される前記地図画像に含まれる道路又は前記拡大画像に含まれる道路とが成す角の内、優角が所定角度未満となるように、前記調整領域の大きさを設定する。
【０００９】
また、請求項４に記載のナビゲーションシステムは、請求項１から３のいずれか一項に記載のナビゲーションシステムにおいて、前記表示制御手段は、前記地図画像に含まれる道路と、当該地図画像に含まれる道路につながる道路であって前記拡大画像に含まれる道路との、共通の属性を表す情報を、前記連係情報として前記調整領域に表示するための制御を行う。
【００１０】
また、請求項５に記載のナビゲーションシステムは、請求項１から４のいずれか一項に記載のナビゲーションシステムにおいて、前記道路情報格納手段は、前記道路識別情報と、前記道路の位置を特定する道路位置情報とを、相互に関連付けて格納し、前記表示制御手段は、前記道路識別情報と前記道路位置情報とに基づき、前記地図画像と前記拡大画像との境界において、前記地図画像に含まれる道路と、当該地図画像に含まれる道路につながる道路であって前記拡大画像に含まれる道路とが接していない場合にのみ、当該境界に前記調整領域を設ける。
【００１１】
また、請求項６に記載のナビゲーション方法は、地図画像を表示すると共に、当該地図画像の一部領域を拡大した拡大画像を、当該一部領域を含む拡大画像表示領域において当該地図画像上に重畳表示する表示ステップと、前記地図画像に含まれる道路を一意に識別する道路識別情報を格納する道路情報格納ステップと、前記道路識別情報に基づき、前記地図画像に含まれる道路と前記拡大画像に含まれる道路とのつながりを特定する連係特定ステップと、前記地図画像と前記拡大画像との境界に所定の調整領域を設け、前記連係特定ステップで特定された当該地図画像に含まれる道路と当該拡大画像に含まれる道路とのつながりを示す連係情報を、当該調整領域に表示するための制御を行う表示制御ステップと、を含む。
【００１２】
また、請求項７に記載のナビゲーションプログラムは、請求項６に記載の方法をコンピュータに実行させる。
【発明の効果】
【００１３】
請求項１に記載のナビゲーションシステム、請求項６に記載のナビゲーション方法、及び請求項７に記載のナビゲーションプログラムによれば、表示制御手段は、地図画像と拡大画像との境界に所定の調整領域を設け、連係特定手段により特定された地図画像に含まれる道路と拡大画像に含まれる道路とのつながりを示す連係情報を、調整領域に表示するための制御を行うので、地図画像に含まれる道路と、拡大画像に含まれる道路とのつながりを、利用者に容易に把握させることができる。
【００１４】
請求項２に記載のナビゲーションシステムによれば、表示制御手段は、道路識別情報と道路位置情報とに基づき、地図画像に含まれる道路と、当該地図画像に含まれる道路につながる道路であって拡大画像に含まれる道路とを接続する接続線を、連係情報として調整領域に表示するための制御を行うので、地図画像に含まれる道路と、拡大画像に含まれる道路とがつながっていることを、直感的に把握可能な態様で表示することができ、道路のつながりを利用者に一層容易に把握させることができる。
【００１５】
請求項３に記載のナビゲーションシステムによれば、表示制御手段は、接続線と、当該接続線に接続される地図画像に含まれる道路又は拡大画像に含まれる道路とが成す角の内、優角が所定角度未満となるように、調整領域の大きさを設定するので、地図画像に含まれる道路又は拡大画像に含まれる道路に対する接続線の傾斜が緩やかとなり、地図画像に含まれる道路と拡大画像に含まれる道路とのつながりを一層把握し易くすることができる。
【００１６】
請求項４に記載のナビゲーションシステムによれば、表示制御手段は、地図画像に含まれる道路と、当該地図画像に含まれる道路につながる道路であって拡大画像に含まれる道路との、共通の属性を表す情報を、連係情報として調整領域に表示するための制御を行うので、地図画像に含まれる道路と、拡大画像に含まれる道路とがつながっていることを、路線番号等の共通の属性を表す情報を用いて表示することができ、道路のつながりを利用者に一層容易に把握させることができる。
【００１７】
請求項５に記載のナビゲーションシステムによれば、表示制御手段は、道路識別情報と道路位置情報とに基づき、地図画像と拡大画像との境界において、地図画像に含まれる道路と、当該地図画像に含まれる道路につながる道路であって拡大画像に含まれる道路とが接していない場合にのみ、当該境界に調整領域を設けるので、不要な調整領域によって地図画像が覆われてしまうことを防止でき、利用者にとって見易い地図画像を表示手段に表示させることができる。
【図面の簡単な説明】
【００１８】
【図１】実施の形態に係るナビゲーションシステムを例示するブロック図である。
【図２】表示制御処理のフローチャートである。
【図３】地図画像を表示するディスプレイを例示した図である。
【図４】地図画像の一部を拡大した拡大画像を、地図画像上に重畳表示したディスプレイを例示した図である。
【図５】図４に例示した拡大画像の右辺と地図画像との境界に設ける調整領域の幅の設定例を示す拡大図である。
【図６】図４に例示した地図画像と拡大画像との境界に調整領域を設けた状態を示した図である。
【発明を実施するための形態】
【００１９】
以下、本発明に係るナビゲーションシステム、ナビゲーション方法、及びナビゲーションプログラムの実施の形態について図面を参照しつつ詳細に説明する。ただし、この実施の形態によって本発明が限定されるものではない。なお、以下の説明ではナビゲーションシステムが車両に搭載されている場合を例として説明する。
【００２０】
（構成）
最初に、実施の形態に係るナビゲーションシステムの構成について説明する。図１は、本実施の形態に係るナビゲーションシステムを例示するブロック図である。図１に示すように、ナビゲーションシステム１は、操作部１０、ディスプレイ１１、制御部１２、及びデータ記録部１３を備えている。
【００２１】
（構成−操作部）
操作部１０は、利用者による操作入力を受け付ける操作手段である。この操作手段としては、例えば、タッチパネル、リモートコントローラの如き遠隔操作手段、あるいはハードスイッチ等、公知の操作手段を用いることができる。
【００２２】
（構成−ディスプレイ）
ディスプレイ１１は、制御部１２の制御に基づき、地図画像を表示すると共に、当該地図画像の一部領域を拡大した拡大画像を、当該一部領域を含む拡大画像表示領域において地図画像上に重畳表示する表示手段である。ここで「拡大画像表示領域」とは、拡大画像を表示するための領域のことを意味する。なお、このディスプレイ１１の具体的な構成は任意であり、公知の液晶ディスプレイや有機ＥＬディスプレイの如きフラットパネルディスプレイを使用することができる。
【００２３】
（構成−制御部）
制御部１２は、ナビゲーションシステム１を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、実施の形態に係るナビゲーションプログラムは、任意の記録媒体又はネットワークを介してナビゲーションシステム１にインストールされることで、制御部１２の各部を実質的に構成する。
【００２４】
この制御部１２は、機能概念的に、連係特定部１２ａ、及び表示制御部１２ｂを備えている。連係特定部１２ａは、地図画像に含まれる道路と拡大画像に含まれる道路とのつながりを特定する連係特定手段である。ここで、「地図画像に含まれる道路と拡大画像に含まれる道路とのつながり」とは、地図画像に含まれる道路と拡大画像に含まれる道路とがつながっているか否かを示す連係関係のことを意味する。表示制御部１２ｂは、地図画像と拡大画像との境界に所定の調整領域を設け、連係特定部１２ａにより特定された地図画像に含まれる道路と拡大画像に含まれる道路とのつながりを示す連係情報を、調整領域に表示するための制御を行う表示制御手段である。これらの制御部１２の各構成要素によって実行される処理の詳細については後述する。
【００２５】
（構成−データ記録部）
データ記録部１３は、ナビゲーションシステム１の動作に必要なプログラム及び各種のデータを記録する記録手段であり、例えば、外部記憶装置としてのハードディスク（図示省略）の如き磁気的記録媒体を用いて構成されている。ただし、ハードディスクに代えてあるいはハードディスクと共に、フラッシュメモリの如き半導体型記憶媒体、又はＤＶＤやブルーレイディスクの如き光学的記録媒体を含む、その他の任意の記録媒体を用いることができる。
【００２６】
このデータ記録部１３は、地図情報データベース１３ａ（以下、データベースを「ＤＢ」と称する）を備えている。地図情報ＤＢ１３ａは、地図画像に含まれる道路を一意に識別する道路識別情報と、当該道路の位置を特定する道路位置情報とを、相互に関連付けて格納する道路情報格納手段である。道路識別情報としては、例えば、リンク番号（道路リンクの起終点のノード番号）を用いる。また、道路位置情報としては、例えば、形状補間データ（道路リンクの起終点間において、当該道路リンクに対応する道路の形状に沿って配置された形状補間点の位置座標）を用いる。また、地図情報ＤＢ１３ａには、道路の属性を表す情報（例えば路線番号や道路名称等）が、道路識別情報に関連付けて格納されている。なお、地図情報ＤＢ１３ａには、道路識別情報、道路位置情報、道路の属性を表す情報の他、リンクデータ（リンク番号、形状補間データ、路線番号、道路名称等の他、接続ノード番号、道路座標、道路種別、車線数、法定速度、走行規制等）、ノードデータ（ノード番号、座標）、地物データ（信号機、道路標識、ガードレール、建物等）、施設データ（各施設の位置、各施設の種別等）、地形データ、地図画像をディスプレイ１１に表示するための地図表示データ等を含む地図情報が格納されている。
【００２７】
（処理）
次に、このように構成されたナビゲーションシステム１によって実行される表示制御処理について説明する。図２は、表示制御処理のフローチャートである（以下の各処理の説明ではステップを「Ｓ」と略記する）。この表示制御処理は、例えば、ナビゲーションシステム１に電源が投入され、表示制御部１２ｂがディスプレイ１１に地図画像を表示させた場合に、所定周期にて繰り返し起動される。
【００２８】
図２に示すように、表示制御処理が起動されると、表示制御部１２ｂは、地図画像の一部領域を拡大した拡大画像を、当該一部領域を含む拡大画像表示領域において地図画像上に重畳表示させる旨の指示が制御部１２に入力されるまで待機する（ＳＡ１、Ｎｏ）。図３は、地図画像を表示するディスプレイ１１を例示した図である。例えば図３に示すように、操作部１０を介した操作入力により、地図画像１１ａにおいて拡大させるべき領域１１ｆ（図３における点線で囲まれた領域）が指定された場合に、表示制御部１２ｂは、地図画像１１ａの一部領域を拡大した拡大画像を、当該一部領域を含む拡大画像表示領域において地図画像１１ａ上に重畳表示させる旨の指示が制御部１２に入力されたと判定する。また、ナビゲーションシステム１の経路案内部（図示省略）がディスプレイ１１を介して走行経路を案内している場合において、右左折すべき交差点等の所定の案内地点に車両が接近した場合、経路案内部は、当該案内地点を中心とする一定領域１１ｆの地図画像１１ａを拡大すべき旨の指示を制御部１２に入力する。この場合においても、表示制御部１２ｂは、地図画像１１ａの一部領域１１ｆを拡大した拡大画像を、当該一部領域を含む拡大画像表示領域において地図画像１１ａ上に重畳表示させる旨の指示が制御部１２に入力されたと判定する。
【００２９】
図２に戻り、ＳＡ１において、地図画像１１ａの一部領域を拡大した拡大画像を、当該一部領域を含む拡大画像表示領域において地図画像１１ａ上に重畳表示させる旨の指示が制御部１２に入力された場合（ＳＡ１、Ｙｅｓ）、表示制御部１２ｂは、ディスプレイ１１により、地図画像１１ａの一部領域を拡大した拡大画像を、当該一部領域を含む拡大画像表示領域において当該地図画像１１ａ上に重畳表示させる（ＳＡ２）。図４は、地図画像１１ａの一部領域を拡大した拡大画像を、当該一部領域を含む拡大画像表示領域において地図画像１１ａ上に重畳表示したディスプレイ１１を例示した図である。例えば表示制御部１２ｂは、図４に示すように、操作部１０を介して入力された操作入力に基づき、拡大させるべき領域として指定された領域１１ｆ（図３における点線で囲まれた領域）の地図画像１１ａを所定の倍率で拡大し、拡大させるべき領域として指定された領域１１ｆを含む拡大画像表示領域１１ｇにおいて地図画像１１ａ上に重畳表示させる。この場合、表示制御部１２ｂは、例えば拡大させるべき領域として指定された領域１１ｆの中心位置を基準として地図画像１１ａを拡大する。また、経路案内部により、所定の案内地点を中心とする一定領域１１ｆの地図画像１１ａを拡大すべき旨の指示が入力された場合には、当該案内地点を中心とする一定領域１１ｆの地図画像１１ａを、当該案内地点を基準として所定の倍率で拡大し、当該案内地点を中心とする一定領域を含む拡大画像表示領域１１ｇにおいて地図画像１１ａ上に重畳表示させる。
【００３０】
図２に戻り、ＳＡ２の処理の後、連係特定部１２ａは地図情報ＤＢ１３ａを参照し、当該地図情報ＤＢ１３ａに格納されている道路識別情報に基づき、地図画像１１ａに含まれる道路とＳＡ２で地図画図上に重畳表示された拡大画像１１ｂに含まれる道路とのつながりを特定する（ＳＡ３）。例えば連係特定部１２ａは、地図画像１１ａ内に含まれる各道路のリンク番号と、拡大画像１１ｂ内に含まれる各道路のリンク番号とを、地図情報ＤＢ１３ａから取得する。そして、同一のリンク番号の道路が地図画像１１ａと拡大画像１１ｂとの双方に含まれている場合に、連係特定部１２ａは、当該リンク番号の道路が地図画像１１ａと拡大画像１１ｂとの間でつながっていると特定する。図４の例では、連係特定部１２ａにより、道路Ａ、Ｂ、Ｃ、Ｅ、及びＦが、それぞれ地図画像１１ａと拡大画像１１ｂとの間でつながっていると特定されるものとする。一方、拡大画像１１ｂに含まれる道路Ｄについては、地図画像１１ａ上の道路Ｄが当該拡大画像１１ｂによって完全に覆われているため、連係特定部１２ａによって道路のつながりは特定されない。
【００３１】
図２に戻り、ＳＡ３の処理の後、表示制御部１２ｂは、地図情報ＤＢ１３ａに格納されている道路識別情報と道路位置情報とに基づき、地図画像１１ａと拡大画像１１ｂとの境界において、地図画像１１ａに含まれる道路と、当該地図画像１１ａに含まれる道路につながる道路であって拡大画像１１ｂに含まれる道路との間に、表示位置のずれがあるか否かを判定する（ＳＡ４）。例えば表示制御部１２ｂは、ＳＡ３で地図画像１１ａと拡大画像１１ｂとの間でつながっていると連係特定部１２ａによって特定された道路について、当該道路に対応する道路位置情報を地図情報ＤＢ１３ａから取得する。そして、当該取得した道路位置情報に基づき、地図画像１１ａと拡大画像１１ｂとの境界における地図画像１１ａ側の当該道路の表示位置と、拡大画像１１ｂ側の当該道路の表示位置とを特定し、当該特定した各表示位置にずれがあるか否かを判定する。
【００３２】
例えば図４では、拡大画像１１ｂの上辺と地図画像１１ａとの境界において、地図画像１１ａと拡大画像１１ｂとの間でつながっている道路Ｂの表示位置が接している。従って、表示制御部１２ｂは、地図画像１１ａに含まれる道路Ｂと、当該地図画像１１ａに含まれる道路Ｂにつながる道路であって拡大画像１１ｂに含まれる道路Ｂとの間に、表示位置のずれがないと判定する。同様に、拡大画像１１ｂの下辺と地図画像１１ａとの境界において、地図画像１１ａと拡大画像１１ｂとの間でつながっている道路Ｅの表示位置が接している。従って、表示制御部１２ｂは、地図画像１１ａに含まれる道路Ｅと、当該地図画像１１ａに含まれる道路Ｅにつながる道路であって拡大画像１１ｂに含まれる道路Ｅとの間に、表示位置のずれがないと判定する。
【００３３】
一方、拡大画像１１ｂの左辺と地図画像１１ａとの境界において、地図画像１１ａと拡大画像１１ｂとの間でつながっている道路Ａの表示位置は接していない。従って、表示制御部１２ｂは、地図画像１１ａに含まれる道路Ａと、当該地図画像１１ａに含まれる道路Ａにつながる道路であって拡大画像１１ｂに含まれる道路Ａとの間に、表示位置のずれがあると判定する。同様に、拡大画像１１ｂの右辺と地図画像１１ａとの境界において、地図画像１１ａと拡大画像１１ｂとの間でつながっている道路Ｃ及びＦの表示位置は接していない。従って、表示制御部１２ｂは、地図画像１１ａに含まれる道路Ｃと、当該地図画像１１ａに含まれる道路Ｃにつながる道路であって拡大画像１１ｂに含まれる道路Ｃとの間、及び、地図画像１１ａに含まれる道路Ｆと、当該地図画像１１ａに含まれる道路Ｆにつながる道路であって拡大画像１１ｂに含まれる道路Ｆとの間に、表示位置のずれがあると判定する。
【００３４】
図２に戻り、ＳＡ４において、地図画像１１ａと拡大画像１１ｂとの境界において、地図画像１１ａに含まれる道路と、当該地図画像１１ａに含まれる道路につながる道路であって拡大画像１１ｂに含まれる道路との間に、表示位置のずれがある場合（ＳＡ４、Ｙｅｓ）、すなわち、地図画像１１ａと拡大画像１１ｂとの境界において、地図画像１１ａに含まれる道路と、当該地図画像１１ａに含まれる道路につながる道路であって拡大画像１１ｂに含まれる道路とが接していない場合、表示制御部１２ｂは、当該境界に設ける調整領域の大きさを設定する（ＳＡ５）。ここで「調整領域」とは、地図画像１１ａに含まれる道路と拡大画像１１ｂに含まれる道路とのつながりを示す連係情報を表示するための領域である。また、調整領域の「大きさ」とは、例えば地図画像１１ａと拡大画像１１ｂとの間における調整領域の幅や、調整領域の面積等を含む概念である。以下では、表示制御部１２ｂが、地図画像１１ａと拡大画像１１ｂとの間における調整領域の幅を設定する場合を例として説明する。「連係情報」には、地図画像１１ａに含まれる道路と、当該地図画像１１ａに含まれる道路につながる道路であって拡大画像１１ｂに含まれる道路とを接続する接続線や、地図画像１１ａに含まれる道路と、当該地図画像１１ａに含まれる道路につながる道路であって拡大画像１１ｂに含まれる道路との、共通の属性を表す情報（例えば「国道○△号」等の路線番号や、「□×街道」等の道路名称等）が含まれる。
【００３５】
具体的には、表示制御部１２ｂは、接続線と、当該接続線に接続される地図画像１１ａに含まれる道路又は拡大画像１１ｂに含まれる道路とが成す角の内、優角が所定角度未満となるように、調整領域の幅を設定する。図５は、図４に例示した拡大画像１１ｂの右辺と地図画像１１ａとの境界に設ける調整領域の幅の設定例を示す拡大図である。この図５の例では、図４に例示した拡大画像１１ｂの右辺と地図画像１１ａとの境界に設けられる調整領域１１ｃ（斜線でハッチングされた領域）、及び、地図画像１１ａに含まれる道路Ｃと、当該地図画像１１ａに含まれる道路Ｃにつながる道路であって拡大画像１１ｂに含まれる道路Ｃとを接続する接続線１１ｄが示されている。この場合、表示制御部１２ｂは、接続線１１ｄと、当該接続線１１ｄに接続される地図画像１１ａに含まれる道路又は拡大画像１１ｂに含まれる道路とが成す角の内、優角αが所定角度θ（例えば２２５°）未満となるように、調整領域１１ｃの幅Ｗを設定する。すなわち、地図画像１１ａに含まれる道路と、当該地図画像１１ａに含まれる道路につながる道路であって拡大画像１１ｂに含まれる道路とのずれ幅をＧとした場合、表示制御部１２ｂは、Ｗ＞−Ｇ×ｔａｎθ（例えばθ＝２２５°の場合、Ｗ＞Ｇ）が満たされるように、調整領域１１ｃの幅Ｗを設定する。これにより、地図画像１１ａに含まれる道路又は拡大画像１１ｂに含まれる道路に対する接続線１１ｄの傾斜が緩やかとなり、地図画像１１ａに含まれる道路と拡大画像１１ｂに含まれる道路とのつながりを一層把握し易くすることができる。なお、図４に例示した拡大画像１１ｂの右辺と地図画像１１ａとの境界のように、地図画像１１ａに含まれる道路と、当該地図画像１１ａに含まれる道路につながる道路であって拡大画像１１ｂに含まれる道路との組み合わせが複数存在する場合には、各組み合わせについて、接続線１１ｄと、当該接続線１１ｄに接続される地図画像１１ａに含まれる道路又は拡大画像１１ｂに含まれる道路とが成す角の内、優角αが所定角度未満となるように、調整領域１１ｃの幅Ｗを設定する。
【００３６】
図２に戻り、ＳＡ５の処理の後、表示制御部１２ｂは、地図画像１１ａと拡大画像１１ｂとの境界の内、地図画像１１ａに含まれる道路と、当該地図画像１１ａに含まれる道路につながる道路であって拡大画像１１ｂに含まれる道路との間に、表示位置のずれがある境界に、ＳＡ５で設定した幅Ｗの調整領域１１ｃを表示させる（ＳＡ６）。図６は、図４に例示した地図画像１１ａと拡大画像１１ｂとの境界に調整領域１１ｃを設けた状態を示した図である。図４の例では、拡大画像１１ｂの左辺と地図画像１１ａとの境界、及び拡大画像１１ｂの右辺と地図画像１１ａとの境界において、地図画像１１ａに含まれる道路と、当該地図画像１１ａに含まれる道路につながる道路であって拡大画像１１ｂに含まれる道路との間に、表示位置のずれがあることから、図６に示すように、拡大画像１１ｂの左辺と地図画像１１ａとの境界、及び拡大画像１１ｂの右辺と地図画像１１ａとの境界に調整領域１１ｃを表示させる。なお、調整領域１１ｃの表示態様は任意で、例えば半透明の領域としたり、所定の色の領域とすることができる。
【００３７】
図２に戻り、ＳＡ６の処理の後、表示制御部１２ｂは、地図画像１１ａに含まれる道路と、地図画像１１ａに含まれる道路につながる道路であって拡大画像１１ｂに含まれる道路とを接続する接続線１１ｄ、及び、地図画像１１ａに含まれる道路と、地図画像１１ａに含まれる道路につながる道路であって拡大画像１１ｂに含まれる道路との共通の属性を表す情報を、連係情報として調整領域１１ｃに表示させる（ＳＡ７）。この際、表示制御部１２ｂは、地図画像１１ａに含まれる道路と、地図画像１１ａに含まれる道路につながる道路であって拡大画像１１ｂに含まれる道路との共通の属性を表す情報を、例えば地図情報ＤＢ１３ａから取得する。ＳＡ７の処理の後、制御部１２は表示制御処理を終了する。
【００３８】
図６の例では、表示制御部１２ｂは、ＳＡ６で当該表示制御部１２ｂが拡大画像１１ｂの左辺と地図画像１１ａとの境界に設けた調整領域１１ｃに、地図画像１１ａに含まれる道路Ａと、当該地図画像１１ａに含まれる道路Ａにつながる道路であって拡大画像１１ｂに含まれる道路Ａとを接続する接続線１１ｄを表示する。また、道路Ａの共通の属性を表す情報として、当該道路Ａの路線番号１１ｅを接続線１１ｄの近傍に表示する。また、ＳＡ６で当該表示制御部１２ｂが拡大画像１１ｂの右辺と地図画像１１ａとの境界に設けた調整領域１１ｃには、地図画像１１ａに含まれる道路Ｃと、当該地図画像１１ａに含まれる道路Ｃにつながる道路であって拡大画像１１ｂに含まれる道路Ｃとを接続する接続線１１ｄ、及び、地図画像１１ａに含まれる道路Ｆと、当該地図画像１１ａに含まれる道路Ｆにつながる道路であって拡大画像１１ｂに含まれる道路Ｆとを接続する接続線１１ｄを表示する。また、道路Ｃの共通の属性を表す情報として、当該道路Ｃの路線番号１１ｅを当該道路Ｃの接続線１１ｄの近傍に表示すると共に、道路Ｆの共通の属性を表す情報として、当該道路Ｆの路線番号１１ｅを当該道路Ｆの接続線１１ｄの近傍に表示する。
【００３９】
図２に戻り、ＳＡ４において、地図画像１１ａと拡大画像１１ｂとの境界において、地図画像１１ａに含まれる道路と、当該地図画像１１ａに含まれる道路につながる道路であって拡大画像１１ｂに含まれる道路との間に、表示位置のずれがない場合（ＳＡ４、Ｎｏ）、すなわち、地図画像１１ａと拡大画像１１ｂとの境界において、地図画像１１ａに含まれる道路と、当該地図画像１１ａに含まれる道路につながる道路であって拡大画像１１ｂに含まれる道路とが接している場合、調整領域１１ｃを設けて連係情報を表示させる必要はないものとし、制御部１２は表示制御処理を終了する。
【００４０】
（効果）
このように実施の形態によれば、表示制御部１２ｂは、地図画像１１ａと拡大画像１１ｂとの境界に所定の調整領域１１ｃを設け、連係特定部１２ａにより特定された地図画像１１ａに含まれる道路と拡大画像１１ｂに含まれる道路とのつながりを示す連係情報を、調整領域１１ｃに表示するための制御を行うので、地図画像１１ａに含まれる道路と、拡大画像１１ｂに含まれる道路とのつながりを、利用者に容易に把握させることができる。
【００４１】
また、表示制御部１２ｂは、道路識別情報と道路位置情報とに基づき、地図画像１１ａに含まれる道路と、当該地図画像１１ａに含まれる道路につながる道路であって拡大画像１１ｂに含まれる道路とを接続する接続線１１ｄを、連係情報として調整領域１１ｃに表示するための制御を行うので、地図画像１１ａに含まれる道路と、拡大画像１１ｂに含まれる道路とがつながっていることを、直感的に把握可能な態様で表示することができ、道路のつながりを利用者に一層容易に把握させることができる。
【００４２】
特に、表示制御部１２ｂは、接続線１１ｄと、当該接続線１１ｄに接続される地図画像１１ａに含まれる道路又は拡大画像１１ｂに含まれる道路とが成す角の内、優角αが所定角度未満となるように、調整領域１１ｃの幅Ｗを設定するので、地図画像１１ａに含まれる道路又は拡大画像１１ｂに含まれる道路に対する接続線１１ｄの傾斜が緩やかとなり、地図画像１１ａに含まれる道路と拡大画像１１ｂに含まれる道路とのつながりを一層把握し易くすることができる。
【００４３】
また、表示制御部１２ｂは、地図画像１１ａに含まれる道路と、当該地図画像１１ａに含まれる道路につながる道路であって拡大画像１１ｂに含まれる道路との、共通の属性を表す情報を、連係情報として調整領域１１ｃに表示するための制御を行うので、地図画像１１ａに含まれる道路と、拡大画像１１ｂに含まれる道路とがつながっていることを、路線番号１１ｅ等の共通の属性を表す情報を用いて表示することができ、道路のつながりを利用者に一層容易に把握させることができる。
【００４４】
また、表示制御部１２ｂは、道路識別情報と道路位置情報とに基づき、地図画像１１ａと拡大画像１１ｂとの境界において、地図画像１１ａに含まれる道路と、当該地図画像１１ａに含まれる道路につながる道路であって拡大画像１１ｂに含まれる道路とが接していない場合にのみ、当該境界に調整領域１１ｃを設けるので、不要な調整領域１１ｃによって地図画像１１ａが覆われてしまうことを防止でき、利用者にとって見易い地図画像１１ａをディスプレイ１１に表示させることができる。
【００４５】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００４６】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００４７】
（表示制御処理について）
上述の実施の形態では、表示制御部１２ｂが、長方形の拡大画像１１ｂを地図画像１１ａ上に重畳表示させる場合を例として説明したが、多角形や円形等、任意の形状の拡大画像１１ｂを地図画像１１ａ上に重畳表示させてもよい。
【００４８】
また、図２のＳＡ３において、連係特定部１２ａが、同一のリンク番号の道路が地図画像１１ａと拡大画像１１ｂとの双方に含まれている場合に、当該リンク番号の道路が地図画像１１ａと拡大画像１１ｂとの間でつながっていると特定する場合を例として説明したが、これとは異なる基準を用いて道路のつながりを特定するようにしてもよい。例えば、同一の路線番号の道路が地図画像１１ａと拡大画像１１ｂとの双方に含まれている場合に、当該路線番号の道路が地図画像１１ａと拡大画像１１ｂとの間でつながっていると特定するようにしてもよい。
【００４９】
また、図２のＳＡ５において、表示制御部１２ｂが、接続線１１ｄと、当該接続線１１ｄに接続される地図画像１１ａに含まれる道路又は拡大画像１１ｂに含まれる道路とが成す角の内、優角αが所定角度未満となるように、調整領域１１ｃの幅Ｗを設定すると説明したが、さらに調整領域１１ｃの幅Ｗの上限を設けてもよい。これにより、必要以上に大きい調整領域１１ｃを地図画像１１ａ上に表示することを防止できる。
【００５０】
また、図２のＳＡ５では、地図画像１１ａに含まれる道路と、当該地図画像１１ａに含まれる道路につながる道路であって拡大画像１１ｂに含まれる道路との組み合わせが複数存在する場合には、各組み合わせについて、接続線１１ｄと、当該接続線１１ｄに接続される地図画像１１ａに含まれる道路又は拡大画像１１ｂに含まれる道路とが成す角の内、優角αが所定角度未満となるように、調整領域１１ｃの幅Ｗを設定すると説明したが、各組み合わせの道路の内、主要な道路（例えば高速道路や国道等）と接続線１１ｄとが成す角のみに基づいて調整領域１１ｃの幅Ｗを設定するようにしてもよい。
【００５１】
また、図２のＳＡ６では、表示制御部１２ｂが、地図画像１１ａと拡大画像１１ｂとの境界の内、地図画像１１ａに含まれる道路と、当該地図画像１１ａに含まれる道路につながる道路であって拡大画像１１ｂに含まれる道路との間に、表示位置のずれがある境界に、調整領域１１ｃを表示させると説明したが、道路の表示位置のずれの有無に関わらず、地図画像１１ａと拡大画像１１ｂとの境界の全周に調整領域１１ｃを表示させるようにしてもよい。
【００５２】
また、表示制御部１２ｂが、地図画像１１ａと拡大画像１１ｂとの境界に調整領域１１ｃを設けて接続線１１ｄを表示させるようにディスプレイ１１を制御することに代えて、地図画像１１ａに含まれる道路と、当該地図画像１１ａに含まれる道路につながる道路であって拡大画像１１ｂに含まれる道路とを、共通の色で表示させるようにディスプレイ１１を制御するようにしてもよい。この場合でも、地図画像１１ａに含まれる道路と、拡大画像１１ｂに含まれる道路とがつながっていることを、直感的に把握可能な態様で表示することができ、道路のつながりを利用者に容易に把握させることができる。
【００５３】
また、図２のＳＡ７では、表示制御部１２ｂが、地図画像１１ａに含まれる道路と、地図画像１１ａに含まれる道路につながる道路であって拡大画像１１ｂに含まれる道路との共通の属性を表す情報を、連係情報として調整領域１１ｃに表示させると説明したが、当該共通の属性を表す情報を省略し、接続線１１ｄのみを調整領域１１ｃに表示させるようにしてもよい。
【符号の説明】
【００５４】
１  ナビゲーションシステム
１０  操作部
１１  ディスプレイ
１１ａ  地図画像
１１ｂ  拡大画像
１１ｃ  調整領域
１１ｄ  接続線
１１ｅ  路線番号
１１ｆ  拡大させるべき領域
１１ｇ  拡大画像表示領域
１２  制御部
１２ａ  連係特定部
１２ｂ  表示制御部
１３  データ記録部
１３ａ  地図情報ＤＢ
α  接続線と、当該接続線に接続される地図画像に含まれる道路又は拡大画像に含まれる道路とが成す角の内の優角
Ｗ  調整領域の幅
【図１】
2012173384.tif 000003
【図２】
2012173384.tif 000004
【図３】
2012173384.tif 000005
【図４】
2012173384.tif 000006
【図５】
2012173384.tif 000007
【図６】
2012173384.tif 000008